(57)【要約】【課題】商品を所望の場所に置くシミュレーションを簡単に行なう。【解決手段】３Ｄ合成撮影モードにセットすると、３Ｄ画像データのサムネイル画像がＬＣＤ２２に表示される。１個の３Ｄ画像を選択すると、この画像データがメモリコントローラ７６によってスルー画データと合成され、スルー画の中央部に所定の大きさで表示される。十字ボタンを操作すると、３Ｄ画像の画像データはリアルタイムにスルー画と合成され、３Ｄの姿勢が変更される。シャッタボタン１９を全押しすると、撮影された背景の画像データが画像メモリ６２に格納されるとともに３Ｄ画像データが３Ｄデータ処理部７５によって静止画像データに変換され、３Ｄ画像データと背景の画像データとが合成される。合成画像の画像データは、圧縮伸長処理回路６５によって圧縮処理された後、メディアコントローラ６８を介してメモリカード１７に書き込まれる。【選択図】図３
2007323516.tif 000002
【特許請求の範囲】
【請求項１】
被写体を撮像して静止画像の画像データを出力する撮像装置において、
複数個の三次元画像の画像データを記憶する記憶部と、
この記憶部から複数個の三次元画像の画像データを読み出して複数個の三次元画像を表示する表示部と、
前記複数個の三次元画像から所望の三次元画像が選択され所定の操作が行なわれることにより、前記選択された三次元画像を回転して所望の姿勢となるように三次元画像の画像データを処理する画像データ処理部と、
前記選択された三次元画像の画像データを第１静止画像の画像データに変換する画像変換部と、
前記第１静止画像の画像データと被写体を撮像して得られる第２静止画像の画像データとを合成する画像合成部と
を設けたことを特徴とする撮像装置。
【請求項２】
通信ネットワークを介して画像を配信するサーバと、このサーバからダウンロードした画像を表示する表示部と被写体を撮像して静止画像の画像データを出力する撮像部とを備えた送受信端末とからなる撮像システムにおいて、
前記サーバには、複数個の三次元画像の画像データからなる画像データベースと、前記送受信端末からの要求に応じて、前記画像データベースから複数個の三次元画像の画像データを読み出して送信するとともに、前記送受信端末にて前記複数個の三次元画像から所望の三次元画像が選択され所定の操作が行なわれることにより、前記選択された三次元画像を回転して所望の姿勢となるように三次元画像の画像データを処理した後、前記送受信端末にて所定の操作が行なわれることにより、前記三次元画像の画像データを第１静止画像の画像データに変換してから送信するサーバ制御部とが設けられており、
前記送受信端末には、前記サーバから複数個の三次元画像をダウンロードして表示部に表示し、前記複数個の三次元画像から所望の三次元画像を選択して所定の操作を行なうことにより前記選択した三次元画像がサーバにて回転されて所望の姿勢にされ、さらに所定の操作を行なうことにより前記選択した三次元画像がサーバにて第１静止画像に変換された後、この第１静止画像をダウンロードする端末制御部と、前記第１静止画像の画像データと被写体を撮像して得られる第２静止画像の画像データとを合成する画像合成部とが設けられていることを特徴とする撮像システム。
【発明の詳細な説明】
【技術分野】
【０００１】
本発明は、画像を撮像する撮像装置及び撮像システムに関するものである。
【背景技術】
【０００２】
画像を撮像する撮像装置としては、デジタルカメラやカメラ付き携帯電話が普及している。このデジタルカメラやカメラ付き携帯電話の中には、例えばハート形などのフレーム画像と合成して被写体を撮像する機能を備えたものが知られている（例えば特許文献１）。
【０００３】
一方、商品カタログ等で表品の形状を容易に視認できるように、三次元画像（３Ｄ画像）を用いたものがある。例えば、特許文献２記載の３Ｄモデル画像の表示検索システムでは、商品の属性データ、２Ｄモデルデータ及び３Ｄモデルデータがデータベースに記録されている。また、データ編集部によってデータベースに記録されているデータに基いて商品の画像情報が管理され、上記データ編集部で管理された画像情報に対して、希望する商品の画像情報が、高速通信回線を介して端末機に表示される。そして、上記端末機による希望する商品の表示、検索指示に対して、データ編集部により該当する商品の３Ｄ画像が、回転及びズーム可能で、且つ、その材質、寸法を変更可能に表示される。
【特許文献１】特開２０００−３０７９８８号公報
【特許文献２】特開２００４−１５１７５４号公報
【発明の開示】
【発明が解決しようとする課題】
【０００４】
上記特許文献２記載の発明では、例えば、家具の３Ｄ画像を用いて家具そのものの評価を行なうことは可能であるが、その家具が自宅の部屋にマッチするか否かは確認することができない。そこで、上記特許文献１記載の発明を用い、家具の画像をフレーム画像として登録しておき、このフレーム画と、自宅の部屋を撮影した静止画とを合成することが考えられるが、どのような部屋に対しても合成できるようにするためには、家具に対して向きを種々に変えた無数のフレーム画像を用意する必要がある。また、そのような大量のフレーム画像を仮に用意できたとしても、その中から最適な１個のフレーム画像を選択するというきわめて面倒な作業を要求されることとなるため、現実的ではない。
【０００５】
本発明は、上記のような問題点を解決するためになされたもので、商品を所望の場所に置くシミュレーションを簡単に行なうことができる撮像装置及び撮像システムを提供することを目的とする。
【課題を解決するための手段】
【０００６】
本発明の撮像装置は、被写体を撮像して静止画像の画像データを出力する撮像装置において、複数個の三次元画像の画像データを記憶する記憶部と、この記憶部から複数個の三次元画像の画像データを読み出して複数個の三次元画像を表示する表示部と、前記複数個の三次元画像から所望の三次元画像が選択され所定の操作が行なわれることにより、前記選択された三次元画像を回転して所望の姿勢となるように三次元画像の画像データを処理する画像データ処理部と、前記選択された三次元画像の画像データを第１静止画像の画像データに変換する画像変換部と、前記第１静止画像の画像データと被写体を撮像して得られる第２静止画像の画像データとを合成する画像合成部とを設けたことを特徴とする。
【０００７】
また、本発明の撮像システムは、通信ネットワークを介して画像を配信するサーバと、このサーバからダウンロードした画像を表示する表示部と被写体を撮像して静止画像の画像データを出力する撮像部とを備えた送受信端末とからなる撮像システムにおいて、前記サーバには、複数個の三次元画像の画像データからなる画像データベースと、前記送受信端末からの要求に応じて、前記画像データベースから複数個の三次元画像の画像データを読み出して送信するとともに、前記送受信端末にて前記複数個の三次元画像から所望の三次元画像が選択され所定の操作が行なわれることにより、前記選択された三次元画像を回転して所望の姿勢となるように三次元画像の画像データを処理した後、前記送受信端末にて所定の操作が行なわれることにより、前記三次元画像の画像データを第１静止画像の画像データに変換してから送信するサーバ制御部とが設けられており、前記送受信端末には、前記サーバから複数個の三次元画像をダウンロードして表示部に表示し、前記複数個の三次元画像から所望の三次元画像を選択して所定の操作を行なうことにより前記選択した三次元画像がサーバにて回転されて所望の姿勢にされ、さらに所定の操作を行なうことにより前記選択した三次元画像がサーバにて第１静止画像に変換された後、この第１静止画像をダウンロードする端末制御部と、前記第１静止画像の画像データと被写体を撮像して得られる第２静止画像の画像データとを合成する画像合成部とが設けられていることを特徴とする。
【発明の効果】
【０００８】
本発明の撮像装置によれば、複数個の商品の三次元画像から所望の三次元画像を選択して所定の操作を行なうことにより、選択された三次元画像を回転して所望の姿勢となるように三次元画像の画像データを処理し、この画像データを第１静止画像の画像データに変換してこれと被写体を撮像して得られる第２静止画像の画像データとを合成するようにしたので、商品を所望の場所に置くシミュレーションを簡単に行なうことができる。
【０００９】
また、本発明の撮像システムによれば、三次元画像の画像データベースと、送受信端末からの要求に応じて、選択された三次元画像の画像データに処理を施して回転させ、第１静止画像の画像データに変換してから送信するサーバ制御部とをサーバに設け、送受信端末は、サーバから複数個の三次元画像をダウンロードして表示部に表示し、所望の三次元画像を選択して所定の操作を行なうことにより、サーバから回転及び変換した第１静止画像をダウンロードして第１静止画像の画像データと被写体を撮像して得られる第２静止画像の画像データとを合成するようにしたので、非力な処理能力と小容量のメモリとしか持たない送受信端末でも、三次元画像の表示や三次元画像と被写体の撮影画像との合成を行なうことができ、商品を所望の場所に置くシミュレーションを簡単に行なうことができる。
【発明を実施するための最良の形態】
【００１０】
本発明の第１実施形態であるデジタルカメラの外観を示す図１において、デジタルカメラ１０のカメラ本体１１の前面には、ズームレンズである撮影レンズ１２、ストロボ発光部１４、オートフォーカス（ＡＦ）補助光投光窓１５及び調光センサ１６が設けられている。なお、図示しないが、カメラ本体１１の左手側には、メモリカード１７（図３参照）を装着するためのカードスロットが設けられている。
【００１１】
カメラ本体１１の上面には、回転させることにより撮影モード，３Ｄ（三次元）合成撮影モード，再生モードなどのモード切替を行うリング状のモード切替ダイヤル１８，この中心部に設けられたシャッタボタン１９，電源スイッチ２０が配設されている。シャッタボタン１９は２段階式に構成され、軽く押したままにする「半押し」ではＡＦ及び自動露出制御（ＡＥ）が作動してＡＦとＡＥをロックし、「半押し」から更に押し込む「全押し」で本番撮影が実行される。
【００１２】
図２に示すように、カメラ本体１１の背面には、液晶ディスプレイ（ＬＣＤ）２２，ズームボタン２４，多機能の十字ボタン２６，メニュー／実行ボタン２７，液晶表示／戻るボタン２８，再生モードボタン３１，フォトモードボタン３２が設けられている。このフォトモードボタン３２は、画像の色調を通常のカラーから白黒などに変化させたいときに押圧操作される。
【００１３】
前記ＬＣＤ２２は、本番撮影前に画面２２ａにスルー画を表示して電子ファインダとして使用されるとともに、撮影した画像のプレビュー画やメモリカード１７から読み出した再生画像の他、後述する３Ｄ画像を表示する（図４参照）。この３Ｄ画像は、前記十字ボタン２６を操作することにより自在に向きを変更できる。
【００１４】
デジタルカメラ１０の電気的構成を示す図３において、ＣＰＵ３５は、操作部３６から入力される各種の操作信号に応じて、後述するモータドライバやストロボ装置３７のストロボ制御回路３８にコマンドを送る他、バス４０を介してカメラ本体１１の各部を制御する。前記操作部３６には、前記モード切替ダイヤル１８，シャッタボタン１９，電源ボタン２０，ズームボタン２４及び十字ボタン２６などが含まれる。また、前記ストロボ制御回路３８は、前記調光センサ１６からの出力に応じてストロボ発光部１４の発光を制御する。
【００１５】
前記撮影レンズ１２は、レンズ５２と絞り５３からなる。レンズ５２は、バリエータレンズである前群レンズと、フォーカシング機能をもったコンペンセータレンズである後群レンズとからなる。レンズ５２は、ステッピングモータを含むレンズ駆動機構５４によって駆動され、光学ズーム倍率の変更と焦点調節が行われる。絞り５３は、モータを含む絞り駆動機構５５によって駆動されて絞り径が切り換えられる。レンズ駆動機構５４及び絞り駆動機構５５は、ＣＰＵ３５に制御されるモータドライバ５６，５７によって駆動される。
【００１６】
撮影レンズ１２の背後には、ＣＣＤイメージセンサ（以下単にＣＣＤという）５８が配置されている。ＣＣＤ５８は、撮影レンズ１２を通過してその受光面に結像された被写体光を光電変換し、アナログの撮像信号を出力する。ＣＣＤ５８には、シャッタボタン１９の操作に応じてシャッタレリーズ動作を行なう電子シャッタ機能が備えられている。この電子シャッタ機能は、ＣＣＤドライバ５９から入力されるタイミング信号（クロックパルス）に基づいて制御される。
【００１７】
スルー画表示の際にはＣＣＤ５８からフィールド画（偶数フィールド又は奇数フィールド）の撮像信号が読み出され、アナログ信号処理回路６０に入力される。また、本番撮影時にはＣＣＤ５８からフレーム画の撮像信号が読み出され、アナログ信号処理回路６０に入力される。
【００１８】
前記アナログ信号処理回路６０は、相関二重サンプリング回路（ＣＤＳ）と、増幅器（ＡＭＰ）とからなる。ＣＤＳは、前記撮像信号からＲ，Ｇ，Ｂのアナログ画像信号を生成する。ＡＭＰは、前記Ｒ，Ｇ，Ｂのアナログ画像信号を増幅する。
【００１９】
前記アナログ信号処理回路６０から出力された撮像信号は、Ａ／Ｄ変換器６１によりデジタルの画像データに変換された後、バス４０を介してＳＤＲＡＭなどの画像メモリ６２に格納される。タイミングジェネレータ（ＴＧ）６３は、ＣＰＵ３５の指令に従ってＣＣＤドライバ５９、アナログ信号処理回路６０及びＡ／Ｄ変換器６１に対してタイミング信号を与えており、このタイミング信号によって各回路の同期がとられている。
【００２０】
前記バス４０には、前記ＣＰＵ３５，Ａ／Ｄ変換器６１，画像メモリ６２の他、画像信号処理回路６４，圧縮伸長処理回路６５，ビデオエンコーダ６６，メディアコントローラ６８，ＡＥ検出回路６９，ＡＦ検出回路７１，フラッシュメモリ７２，３Ｄ（Three Dimensional）データ処理部７５及びメモリコントローラ７６が接続されている。
【００２１】
画像信号処理回路６４は、デジタルのＲ，Ｇ，Ｂの画像データに対して、階調変換、ホワイトバランス補正、γ補正処理などの各種画像信号処理と、ＹＣ変換処理とを施す。撮影モード下で本番撮影が実行される前には、画像信号処理回路６４に入力されたスルー画の画像データ（フィールド画）は、簡易な画像信号処理とＹＣ変換処理とが施されて画像メモリ６２に一時的に書き込まれる。
【００２２】
画像メモリ６２には、連続した２フィールド画分を記憶するスルー画用のメモリ領域があり、一方から読み出し中に、他方に書き込みをする。ビデオエンコーダ６６は、画像メモリ６２に書き込まれた画像データをコンポジット信号に変換し、ＬＣＤ２２にスルー画像として表示する。
【００２３】
また、シャッタボタン１９の全押しによる本番撮影が実行されたときには、画像信号処理回路６４に入力されたフレーム画の画像データは、本格的な画像信号処理とＹＣ変換処理とが施され、画像メモリ６２に一時的にストアされた後、圧縮伸長処理回路６５で圧縮処理が施されてから、メディアコントローラ６８を介してメモリカード１７に記憶される。
【００２４】
前記ＡＥ検出回路６９は、撮像信号の輝度信号を積分演算し、得られた測光データとしての輝度積分値をＣＰＵ３５に送る。また、ＡＦ検出回路７１は、撮像信号を空間周波数成分に分解し、このうち高周波数成分のコントラストデータをＣＰＵ３５に送る。ＣＰＵ３５は、モータドライバ５６を介してレンズ駆動機構５４を制御し、フォーカシングレンズを光軸方向に進退させて、被写体像の高周波数成分のコントラストが最も高くなる位置で停止させる。
【００２５】
前記フラッシュメモリ７２は、周知の不揮発性メモリであり、各種のプログラムやデータ，各種制御用のパラメータ等が記憶している他、本発明に係る３Ｄ画像データＤＢ（データベース）７４を収納している。この３Ｄ画像データＤＢ７４は、各種の３Ｄ画像データからなる。この３Ｄ画像データは、例えば家具のカタログデータであり、その家具メーカのホームページからダウンロード可能に提供される。
【００２６】
モード切替ダイヤル１８を操作して「３Ｄ合成撮影モード」を選択すると、３Ｄ画像データＤＢ７４から３Ｄ画像データのサムネイル画像データが画像メモリ６２に呼び出され、図４に示すように、タンス８０などの３Ｄ画像がＬＣＤ２２の画面７９に表示される。
【００２７】
十字ボタン２６を操作してボックスカーソル８１を移動させ、所望の３Ｄ画像に合わせてからメニュー／実行ボタン２７を押すと、対応する３Ｄ画像データが３Ｄ画像データＤＢ７４から画像メモリ６２に読み込まれる。この３Ｄ画像データは、メモリコントローラ７６によって、スルー画の画像データと合成され、図５（Ａ）に示すように、ビデオエンコーダ６６を介してスルー画の画面８２の中央部に所定の大きさで表示される。この３Ｄ画像の大きさは、画面８２の面積の例えば８％である。
【００２８】
前記３Ｄデータ処理部７５は、画像メモリ６２に読み込まれ３Ｄ画像データに対して、操作部３６の十字ボタン２６の操作に応じた回転処理を施す。この回転処理に対応して、スルー画の画像データと３Ｄ画像データとの合成がメモリコントローラ７６によってリアルタイムに行なわれる。
【００２９】
前記操作部３６の十字ボタン２６の操作を行っている間のみは、図５（Ａ）に示すように、座標標識８３が画面８２上に表示される。３Ｄ画像は、十字ボタン２６の左端部を押圧すとＹ軸を中心に左方向に回転し、十字ボタン２６の右端部を押圧すとＹ軸を中心に右方向に回転し、十字ボタン２６の上端部を押圧すとＸ軸を中心に上方向に回転し、十字ボタン２６の下端部を押圧するとＸ軸を中心に下方向に回転する。
【００３０】
このように十字ボタン２６を操作してタンス８０の姿勢を部屋８４のパースペクティブに合わせて変更するとともに、ズームボタン２４を操作してズーミングを行ない、スルー画である部屋８４の大きさをタンス８０の大きさに合わせる。これにより、図５（Ｂ）に示すように、タンス８０が部屋８４の隅に実際に置かれたような画面８２が得られる。
【００３１】
また、前記３Ｄデータ処理部７５は、シャッタボタン１９の全押し操作に応動して３Ｄ画像データを静止画像データに変換する。前記メモリコントローラ７６は、この静止画像データと本番撮影で撮像されたフレーム画の画像データとを合成する。この合成画像の画像データは、圧縮伸長処理回路６５によって圧縮処理された後、メディアコントローラ６８を介してメモリカード１７に書き込まれる。
【００３２】
このように構成された第１実施形態の作用を図６に示すフローチャートに従って説明する。予め、購入を検討する商品の３Ｄ画像の画像データは、各メーカのホームページからダウンロードして、デジタルカメラ１０の３Ｄ画像データＤＢ７４に取り込んでおく。まず、モード切替ダイヤル１８を操作して「３Ｄ合成撮影モード」を選択すると、３Ｄ画像データＤＢ７４から３Ｄ画像データのサムネイル画像データが画像メモリ６２に呼び出され、ＬＣＤ２２の画面７９に３Ｄ画像のサムネイル画像が表示される（図４参照）。
【００３３】
十字ボタン２６を操作してボックスカーソル８１を所望の商品であるタンス８０に合わせてからメニュー／実行ボタン２７を押すと、タンス８０の画像データが３Ｄ画像データＤＢ７４から画像メモリ６２に読み込まれる（ｓｔ１）。この３Ｄ画像データは、メモリコントローラ７６によって、スルー画である部屋８４の画像データとリアルタイムに合成され、図５（Ａ）に示すように、画面８２の中央部に所定の大きさで表示される。
【００３４】
十字ボタン２６を操作してタンス８０を回転させ、タンス８０の姿勢を変更する（ｓｔ２）とともに、ズームボタン２４を操作してタンス８０の背景である部屋８４の大きさをタンス８０の大きさに合わせ、図５（Ｂ）に示すように、タンス８０が部屋８４の隅に納まるように位置合わせを行なう（ｓｔ３）。この間、タンス８０の３Ｄ画像データは、メモリコントローラ７６によって、スルー画である部屋８４の画像データとリアルタイムに合成される。
【００３５】
タンス８０を別の家具に変更したい場合には（ｓｔ４）、液晶表示／戻るボタン２８を押すと、ＬＣＤ２２の表示画面が画面７９に戻るから、再選択を行なう。タンス８０のままでよければ、画面８２が表示されている状態でシャッタボタン１９を半押し操作する。これにより、ＡＥ検出回路６９及びＡＦ検出回路７１が作動してＡＥとＡＦとを行なった後ロックし、更にシャッタボタン１９を全押し操作すると（ｓｔ５）、本番撮影が実行される（ｓｔ６）。
【００３６】
画像信号処理回路６４に入力された部屋８４の画像データに本格的な画像信号処理とＹＣ変換処理が施された後、画像メモリ６２に格納される。これと同時に、予め画像メモリ６２に格納されているタンス８０の３Ｄ画像データが３Ｄデータ処理部７５によって静止画像データに変換される。そして、メモリコントローラ７６によって部屋８４の画像データ（静止画像データ）とタンス８０の静止画像データとが合成される（ｓｔ７）。この合成画像の画像データは、圧縮伸長処理回路６５によって圧縮処理された後、メディアコントローラ６８を介してメモリカード１７に書き込まれる（ｓｔ８）。
【００３７】
モード切替ダイヤル１８を操作して「再生モード」を選択すると、タンス８０が合成された部屋８４の画像を観ることができ、購入するか否かを検討する際の資料とすることができる。また、メモリカード１７をパーソナルコンピュータのメモリカードスロットに差し込んで合成画像の画像データをパーソナルコンピュータのハードディスクに取り込めば、前記合成画像を大きな液晶ディスプレイで観察したり、パーソナルコンピュータに接続されたプリンタから打ち出すこともできる。また、前記合成画像を画像データとして残す必要がなければ、前記ステップ３（ｓｔ３）又はステップ４（ｓｔ４）のまま撮影を実行することなく終了してもよい。
【００３８】
次に、本発明の第２実施形態である撮像システムを示す図７において、撮像システム９０は、送受信端末であるカメラ付き携帯電話（以下携帯電話）９１と、ネットワークサーバ（以下サーバ）９２とからなる。この携帯電話９１とサーバ９２とは、移動体通信網やインターネットなどの通信ネットワーク９４を介してデータ通信可能に接続される。
【００３９】
撮像システム９０は、大きなデータ量となる３Ｄ画像データＤＢと、重い３Ｄデータ処理を行うアプリケーションとをサーバ９２に置き、一般的なデジタルカメラやパーソナルコンピュータに比較して、非力なＣＰＵと小容量のメモリとしか持たない携帯電話９１でも、３Ｄ画像の表示や、３Ｄ画像と被写体の撮影画像との合成を行なうことができるようにしたものである。
【００４０】
携帯電話９１は、撮像部９５，ＣＰＵ９６，ＲＡＭ９７，ＲＯＭ９８，操作部１００，表示パネル１０１，マイク１０２，スピーカ１０３，通話／通信部１０４，メモリコントローラ１０５，メディアコントローラ１０６及びメモリカード１０７からなる。前記撮像部９５は、簡易な構造であるが、撮影レンズ，ＣＭＯＳイメージセンサ及び画像信号処理回路からなり、操作部１００からの撮影指示を受けて被写体を撮像し、その画像データをＣＰＵ９６に出力する。
【００４１】
前記ＲＯＭ９７には、制御プログラム，通話プログラム，通信プログラムなど携帯電話の基本処理が記述された基本プログラムが記憶されている。前記ＲＡＭ９８は、ＣＰＵ９６がプログラムを実行するための作業用メモリである。ＣＰＵ９６は、操作部１００からの操作指示に従って、前記プログラムを実行して携帯電話９１の動作を制御する。
【００４２】
前記通話／通信部１０４は、マイク１０２から入力された音声をアンテナ１０４ａから送出する電波に変換したり、アンテナ１０４ａが受信した電波を変換してスピーカ１０３から音声として出力したりする通話制御と、データの送受信を制御する。メモリコントローラ１０５は、上記第１実施形態と同様に、操作部１００からの撮影指示を受けて画像の合成を行なう。
【００４３】
前記サーバ９２は、ＣＰＵ１１０，ＲＡＭ１１１，ストレージ１１２，通信インタフェース１１３からなる。ストレージ１１２には、ＯＳ（オペレーティングシステム）、電子メールを蓄積するメール蓄積部の他、サーバアプリケーション１１４及び３Ｄ画像データＤＢ１１５が記憶されている。また、３Ｄ画像データＤＢ１１５は、家具などの３Ｄ画像の画像データを多数集積した画像データベースである。
【００４４】
ＣＰＵ１１０は、ストレージ１１２からサーバアプリケーション１１４をＲＡＭ１１１にロードして、サーバアプリケーション１１４を実行する。このサーバアプリケーション１１４は、サーバ９２全体の動作を制御するが、特に携帯電話９１から３Ｄ画像の選択要求を受け取った際には、３Ｄ画像データＤＢ１１５から３Ｄ画像のサムネイル画像データを携帯電話９１宛に送信したり、また携帯電話９１から３Ｄ画像の回転要求を受け取った際には、３Ｄ画像の回転処理を行なって、その結果をサムネイル画像データに変換して携帯電話９１宛に送信する。なお、前記ＣＰＵ１１０とサーバアプリケーション１１４との組み合わせが、本発明に係るサーバ制御部を構成する。
【００４５】
このように構成された第２実施形態の作用について、図８に示すフローチャートに従って説明する。操作部１００の操作により、携帯電話９１を通話モードから３Ｄ合成撮影モードに切り替える（ｓｔ１１）。これにより、通話／通信部１０４から３Ｄ画像のサムネイル画像の要求信号がサーバ９２に向けて発信される。この要求信号を受けたサーバ９２のＣＰＵ１１０は、サーバアプリケーション１１４をＲＡＭ１１１に読み込んでこれを起動し、３Ｄ画像データＤＢ１１５から複数個の３Ｄ画像のサムネイル画像の画像データを読み出して通信インターフェース１１３を介して送信する。
【００４６】
携帯電話９１は、前記３Ｄ画像のサムネイル画像の画像データを受け取ると、液晶パネル１０１に３Ｄ画像のサムネイル画像を一覧表示する。ユーザは、操作部１００を操作して所望の３Ｄ画像（例えばタンス）を選択すると（ｓｔ１２）、このサムネイル画像の画像データとスルー画の画像データとがメモリコントローラ１０５によってリアルタイムに合成され、液晶パネル１０１に表示される（ｓｔ１３）。
【００４７】
３Ｄ画像が所望の姿勢となるように回転させるべく操作部１００を操作すると（ｓｔ１４）、この回転操作信号がサーバ９２に送信される。サーバアプリケーション１１４は、回転操作信号に従って対応する３Ｄ画像の画像データに対して回転処理を施し（ｓｔ１５）、このサムネイル画像の画像データを送信する。
【００４８】
前記サムネイル画像の画像データを携帯電話９１が受け取ると、前記サムネイル画像の画像データとスルー画の画像データとがメモリコントローラ１０５によってリアルタイムに合成され、液晶パネル１０１に表示される（ｓｔ１６）。この表示された３Ｄ画像を別の３Ｄ画像に変更したい場合には（ｓｔ１７）、操作部１００の操作によりキャンセルして３Ｄ画像の選択（ｓｔ１２）からやり直す。
【００４９】
前記液晶パネル１０１に表示されたままの３Ｄ画像とその背景（スルー画）でよい場合には（ｓｔ１７）、操作部１００の操作により撮影操作を行なう（ｓｔ１８）。撮像部９５から出力された撮影画像の画像データは、通話／通信部１０４を介して送信される。サーバ９２が撮影画像の画像データを受け取ると、サーバアプリケーション１１４は、前記３Ｄ画像の画像データと撮影画像の画像データとを合成して（ｓｔ１９）、この合成画像の画像データを通信インターフェース１１３を介して携帯電話９１に送信する。
【００５０】
携帯電話９１が合成画像の画像データを受け取ると、ＣＰＵ９６は、メディアコントローラ１０６を介してメモリカード１０７に記録する（ｓｔ２０）。なお、前記合成画像を画像データとして残す必要がなければ、前記ステップ１６（ｓｔ１６）又はステップ１７（ｓｔ１７）のまま撮影を実行することなく終了してもよい。
【００５１】
以上説明した実施形態では、画面に表示する３Ｄ画像の大きさを画面の面積の８％としたが、本発明はこれに限定されることなく、例えば５％や１０％としてもよい。また、上記実施形態では、３Ｄ画像の例として家具、特にタンスとしたが、本発明はこれに限定されることなく、例えば家やビルなどの建造物、また服や眼鏡などの装着物でもよい。家やビルなどの場合には、これらを空き地に建てた様子を合成撮影する。また、服や眼鏡などの場合には、例えば撮影レンズを液晶パネルと同じ側に回転できるタイプのデジタルカメラを用い、撮影レンズを自分の方に向けて自分を撮影しながら自分の顔に眼鏡を装着した様子などを合成撮影する。
【図面の簡単な説明】
【００５２】
【図１】本発明の第１実施形態であるデジタルカメラを示す斜視図である。
【図２】デジタルカメラの背面を示す平面図である。
【図３】デジタルカメラの電気的構成を示すブロック図である。
【図４】３Ｄ画像のサムネイル画像を一覧表示した画面を示す説明図である。
【図５】スルー画に３Ｄ画像を合成表示した状態を説明図である。
【図６】第１実施形態の主なシーケンスを示すフローチャートである。
【図７】本発明の第２実施形態である撮像システムを示す説明図である。
【図８】第２実施形態の主なシーケンスを示すフローチャートである。
【符号の説明】
【００５３】
１０  デジタルカメラ
１７，１０７  メモリカード
２２  ＬＣＤ
２６  十字ボタン
３５，９６，１１０  ＣＰＵ
３６，１００  操作部
７４，１１５  ３Ｄ画像データＤＢ
７５  ３Ｄデータ処理部
７６，１０５  メモリコントローラ
８０  タンス
８４  部屋
９０  撮像システム
９１  携帯電話
９２  サーバ
９５  撮像部
１１４  サーバアプリケーション
【図１】
2007323516.tif 000003
【図２】
2007323516.tif 000004
【図３】
2007323516.tif 000005
【図４】
2007323516.tif 000006
【図５】
2007323516.tif 000007
【図６】
2007323516.tif 000008
【図７】
2007323516.tif 000009
【図８】
2007323516.tif 000010